(57)【要約】【課題】当たり感度や糸落ち性等を有効に向上させる釣り用浮きを提供する。【解決手段】浮き１は、少なくとも浮き本体の外表面全体に撥水剤５が塗布されている。釣り糸１１を挿通させるための中通し孔２を有し、中通し孔２の内面に撥水剤が塗布される。シリコン系またはフッ素系の撥水剤５が塗布される。撥水加工を施すことで高い撥水効果が得られ、水切れをよくして粘性抵抗を減少させることができる。これにより水中での動きを敏速にし、あるいは釣り糸の滑りを円滑化する。【選択図】        図１
2004187559.tif 000002
【特許請求の範囲】
【請求項１】
少なくとも浮き本体の外表面全体に撥水剤が塗布されていることを特徴とする釣り用浮き。
【請求項２】
釣り糸を挿通させるための中通し孔を有し、該中通し孔の内面に撥水剤が塗布されていることを特徴とする請求項１に記載の釣り用浮き。
【請求項３】
シリコン系またはフッ素系の撥水剤が塗布されることを特徴とする請求項１または２に記載の釣り用浮き。
【発明の詳細な説明】
【０００１】
【発明の属する技術分野】
本発明は、海釣り等で使用する釣り用浮き、典型的には中通し浮きによって構成される浮きに関するものである。
【０００２】
【従来の技術】
たとえば、磯釣り等で中通し浮きを使用する釣りにおいて、図３に示すような釣り用仕掛け１０を使用する。この釣り用仕掛け１０の代表的構成例として道糸（釣り糸）１１に浮き止め糸１２を結び、順次シモリ玉１３、当たり浮き１４、クッション（Ｏクッション）１５、水中浮き１６およびクッション（Ｔクッション）１７にそれぞれ挿通させるというものである。
【０００３】
また道糸１１の先端には、所謂サルカン１８を介してハリス１９が結合する。
ハリス１９の先端には釣り針２０が設けられると共に、その途中適所にガン玉２１が付設される。
【０００４】
この例の釣り用仕掛け１０は所謂「遊動仕掛け」と称し、当たり浮き１４および水中浮き１６が道糸１１に沿って所定範囲で移動可能になっている。すなわちたとえば当たり浮き１４の中心には、中通し孔と称する中心孔が貫通形成された中通し浮きとして構成されており、その中通し孔に道糸１１を挿通させるようになっている。
【０００５】
【発明が解決しようとする課題】
この釣り用仕掛け１０の例では、当たり浮き１４は水面あるいは海面に浮遊しており、魚の当たりで上下動する。その際、浮き表面の粘性抵抗のために動きが緩慢になり、そのままでは適正な当たり感度が得られないことがある。
さらに、特に中通し浮きにあっては、中通し孔に挿通する道糸１１の滑りを確保するのが難しく、特に深い層にいる魚を狙うため、仕掛けを短時間に落とし、ウキを道糸に固定しない全遊動仕掛けなどではパイプに道糸がくっつくことがあり、必ずしも円滑に糸落ちさせることができなかった。
【０００６】
本発明はかかる実情に鑑み、浮き本体表面やパイプ内面に撥水剤を塗布またはディップすることで、当たり感度や糸落ち性等を有効に向上させる釣り用浮きを提供することを目的とする。
【０００７】
【課題を解決するための手段】
本発明の釣り用浮きは、少なくとも浮き本体の外表面全体に撥水剤が塗布されていることを特徴とする。
【０００８】
また、本発明の釣り用浮きにおいて、釣り糸を挿通させるための中通し孔を有し、該中通し孔の内面に撥水剤が塗布されていることを特徴とする。
【０００９】
また、本発明の釣り用浮きにおいて、シリコン系またはフッ素系の撥水剤が塗布されることを特徴とする。
【００１０】
本発明によれば、浮き本体の外表面全体に、あるいは中通し浮きにあっては中通し孔の内面に撥水剤が塗布される。このように撥水加工を施すことで高い撥水効果が得られ、水はじきをよくし、空気の７９０倍もある水の摩擦抵抗を減少させ、空気の１９倍にもなる水中の粘性抵抗を減少させることができる。これにより水中での動きを敏速にし、あるいは釣り糸の滑りを円滑化する。
【００１１】
【発明の実施の形態】
以下、図面に基づき、従来例と実質的に同一または対応する部材には同一符号を用いて、本発明による釣り用浮きの好適な実施の形態を説明する。
図１は、本発明による釣り用浮き１を示している。浮き１はその基本構成において、好適には木材もしくは合成樹脂材料を用いて、図示例のように卵型あるいは円錐型等の形状に形成される。なお、本機能は、これらの形状に限定されるものではなく、その他種々の形状を採用可能である。また、前述した釣り用仕掛け１０において当たり浮きを構成するものであってよい。
【００１２】
また、この実施形態においては浮き１の浮き本体の中心に釣り糸１１を挿通するための中通し孔２を有する中通し浮きとして構成される。浮きの中心に設けた穴には、センターパイプ３が装着される。このセンターパイプ３は好適には樹脂製とし、その内孔により中通し孔２が形成される。センターパイプ３の周囲には錘４が配置されてもよく、この錘４は浮き本体に固定される。なお、センターパイプ３を有さずに、浮き本体に直接中通し孔２を形成することも可能である。
【００１３】
上記各部材は、接着剤によって相互に接着固定される。すなわち、センターパイプ３と浮き本体、またセンターパイプ３の下部と錘４はそれぞれ適宜の接着剤により接着される。
【００１４】
さて、本発明では浮き１の浮き本体の外表面全体に、図１のように撥水剤５が塗布されている。また、図２に示されるように、この例においては中通し孔２（センターパイプ３）の内面にも撥水剤５が塗布される。撥水剤５は典型的には、シリコン系またはフッ素系のものが好適である。なお、撥水剤５の具体例として、たとえば防水スプレー等を用いることができる。
【００１５】
上記のように浮き本体の外表面全体、およびこの例のように中通し浮きにあっては中通し孔２の内面に撥水剤５が塗布される。かかる撥水加工を施すことで高い撥水効果が得られ、水はじきをよくして空気中の約１９倍にもなる水中の粘性抵抗を減少させることができる。これにより水中における浮き１の動きを敏速にし、当たりの際の浮き１の感度を高めることができる。
【００１６】
また、釣り糸１１に付いた水分に対する撥水性および釣り糸そのものの表面に対する粘性も低下させ、図２の矢印のように中通し孔２に挿通する釣り糸１１の滑りを円滑化する。これにより中通し浮きにあっては釣り糸１１の糸落ちを速くし、釣り用仕掛け１０を深い棚まで極めて短時間で到達させることができる。
【００１７】
さらに、たとえば浮き１の投入位置が遠方になり、釣り人からよく見えない場合や、浮き１の浮力が不足している場合がある。これらの場合でも、上記のように撥水加工を施すことで浮き１の浮力を実質的に増大することができ、遠距離からの視認性を向上することができる。
【００１８】
上記のように本発明を好適な実施形態について説明したが、本発明はそれらの実施形態にのみ限定されるものでなく、本発明の範囲内で必要に応じて適宜変更等が可能である。
中通し孔２（センターパイプ３）の内面にも撥水剤５が塗布される例を説明したが、中通し孔２を有さない浮きに対しても本発明は有効に適用可能である。たとえば環つき浮きや棒浮き等の浮き本体の外表面全体に撥水剤５が塗布することにより、上記実施形態と同様な作用効果を得ることができる。
【００１９】
【発明の効果】
以上説明したように本発明によれば、この種の浮きにおいて浮き本体の外表面に撥水加工を施すことで、浮き感度や糸落ち性等を有効に向上させることができる。その結果、高い釣果を期待することができる等の利点がある。
【図面の簡単な説明】
【図１】本発明の釣り用浮きの実施形態における構成例を示す断面図である。
【図２】本発明の浮きにおける中通し孔まわりを示す図である。
【図３】釣り用仕掛けの構成例を示す図である。
【符号の説明】
１    浮き
２    中通し孔
３    センターパイプ
４    錘
５    撥水剤
【図１】
2004187559.tif 000003
【図２】
2004187559.tif 000004
【図３】
2004187559.tif 000005